(57)【要約】【課題】照射方向を操作性良くユニバーサルに可変できる照明器具において、簡単な構成により、照明器具全体の高さを低くでき、構成部品が少なくてコンパクト化が図れ、しかも組み立て性が良く、容易に製造できて低コスト化を図る。【解決手段】灯具３は、器具本体２の円形開口２１の内周縁上に載置され、弾性体４の押さえ部４２により灯具３の上方から押さえられている。そして、器具本体２が取り付けられる取付け穴への係合用ばね部４３を弾性体４と一体的に設けた。これにより、１つの部品で、灯具３の器具本体２への取付け及び照射方向の保持と、器具本体２の取付け穴への係合固定を行うことができる。【選択図】図１
2005149790.tif 000002
【特許請求の範囲】
【請求項１】
光源が内装された略球状の灯具と、その灯具径より小径の円形開口を有し、その開口内周縁上に前記灯具が載置される器具本体と、前記器具本体に固定されると共に前記灯具の上部に当接して該灯具の照射方向を可変自在に押さえる押さえ部を有した弾性体と、から成る照射方向を可変自在とした照明器具において、
前記器具本体が取り付けられる取付け穴への係合用ばね部を、前記弾性体と一体的に設けたことを特徴とする照明器具。
【請求項２】
前記係合用ばね部と一体的に前記器具本体への固定部を設けたことを特徴とする請求項１記載の照明器具。
【請求項３】
前記灯具が照射方向中心軸に向いた状態での水平面の周外面の少なくとも１ヶ所に、該灯具の回転を所定範囲で規制するための突起を設け、
前記器具本体には、前記突起に対応して該突起が係合する凹部を設けたことを特徴とする請求項１又は請求項２に記載の照明器具。
【請求項４】
前記灯具への電源線を、前記弾性体の係合用ばね部及び固定部の側方にある開口の略中間位置に通したことを特徴とする請求項３記載の照明器具。
【発明の詳細な説明】
【技術分野】
【０００１】
本発明は、照射方向を可変自在とした照明器具に関する。
【背景技術】
【０００２】
従来、この種の照明装置として、光源を有した灯具を器具本体の鉛直方向及び水平方向の２軸の回りにユニバーサルに回転自在とした構成により、照射方向角度を可変とした照明器具がある。このような２軸構成の照明器具においては、照射方向変更の操作性が良くない。そこで、灯具を略球状とし、下面開口の枠体状の器具本体内に収め、灯具の上部から押圧バネにより下方付勢して灯具の照射方向を可変自在とした照明器具が知られている。この構成においては、特別な軸部材や回転機構部を要することなく、灯具の照射方向をユニバーサルに可変でき、操作性が良い（特許文献１参照）。
【特許文献１】実開平４−４９４１６号公報
【発明の開示】
【発明が解決しようとする課題】
【０００３】
しかしながら、上記特許文献１記載の照明器具においては、灯具押圧用の押圧バネと、器具本体の取付け面への取付け具とが別体であり、押圧バネと取付け具との器具本体側面への固定部位も必要となるため、照明器具全体の高さが高くなって器具の小型化が容易ではなく、また、部品点数が多いため組み立て性が良くなく、コスト高となっていた。
【０００４】
本発明は、上記問題を解消するものであり、簡単な構成により、照明器具全体の高さを低くでき、構成部品が少なくてコンパクト化が図れ、しかも組み立て性が良く、容易に製造できて低コスト化が図れる照射方向可変な照明器具を提供することを目的とする。
【課題を解決するための手段】
【０００５】
上記目的を達成するために、請求項１の発明は、光源が内装された略球状の灯具と、その灯具径より小径の円形開口を有し、その開口内周縁上に前記灯具が載置される器具本体と、前記器具本体に固定されると共に前記灯具の上部に当接して該灯具の照射方向を可変自在に押さえる押さえ部を有した弾性体と、から成る照射方向を可変自在とした照明器具において、前記器具本体が取り付けられる取付け穴への係合用ばね部を、前記弾性体と一体的に設けたことを特徴とする。
【０００６】
請求項２の発明は、請求項１の発明において、係合用ばね部と一体的に前記器具本体への固定部を設けたものである。
【０００７】
請求項３の発明は、請求項１又は請求項２に記載の発明において、灯具が照射方向中心軸に向いた状態での水平面の周外面の少なくとも１ヶ所に、該灯具の回転を所定範囲で規制するための突起を設け、器具本体には、前記突起に対応して該突起が係合する凹部を設けたものである。
【０００８】
請求項４の発明は、請求項３の発明において、灯具への電源線を、弾性体の係合用ばね部及び固定部の側方にある開口の略中間位置に通したものである。
【発明の効果】
【０００９】
請求項１の発明によれば、器具本体の取付け穴への係合用ばね部を弾性体と一体的に設けたので、器具全体高さを比較的低くできると共に、弾性体と係合用ばねとが一つの部材でよく、組み立て性が良く、コンパクト化、低コスト化が図れる。
【００１０】
請求項２の発明によれば、弾性体と係合用ばねと固定部とが一つの部材でよく、上記と同様の効果が得られる。
【００１１】
請求項３の発明によれば、灯具の回り止めが図れるので、灯具に電源線が接続されている場合に、電源線の捩れ切れ等がなくなる。
【００１２】
請求項４の発明によれば、灯具の照射方向変更で鉛直方向に対する傾動時にも電源線が弾性体の部材と干渉することがなく、照射方向変更の動きがスムーズとなる。
【発明を実施するための最良の形態】
【００１３】
以下、本発明の実施形態による照明器具について図面を参照して説明する。図１、図２は、ダウンライトとして搭載された照明器具１の異なった角度での半裁断面を示し、図３は照明器具１の外観を示す。照明器具１は、枠状の樹脂成形品、又はアルミダイカスト製の器具本体２と、光源としてのＬＥＤ５が内装された略球状の灯具３と、灯具３の上部に当接して灯具３の照射方向を可変自在に押さえる板バネ状の弾性体４とから成る。
【００１４】
器具本体２は、灯具３の径より小径の内周円をなす円形開口２１と、天井壁等の造営材６に当接されるフランジ部２２とを有し、円形開口２１の開口内周縁上に灯具３が載置される。灯具３は、放熱部の形成された略半球状の上部材３１と、ＬＥＤ５の出射光を集光させるレンズ、光反射リフレクタ等を備えた略半球状の下部材３２とから成り、両者はネジ３３により結合されている。
【００１５】
弾性体４は、図４にも示されるように、器具本体２に固定するための固定部４１と、灯具３を押さえる押さえ部４２と、照明器具１が造営材６の埋め込み穴（取付け穴）に嵌め込まれた状態で照明器具１を造営材６に固定するための係合用ばね部４３及び引っ掛かり用凹凸４４と、落下防止用の折り曲げ片部４５とを一体的に有する。
【００１６】
略球状の灯具３は、その下部材３２が器具本体２の円形開口２１の開口内周縁上に載置され、上部材３１の上方から弾性体４の押さえ部４２によるバネ圧で押し下げられた状態にある。これにより、灯具３は、器具本体２に取付けられると同時に、球の中心を軸に任意に回転自在に保持される。下部材３２の投光開口縁３２ａは、灯具３を傾動させるときにユーザが手を掛ける部位として突出形成されている。そして、灯具３の回転は、その投光開口縁３２ａが器具本体２の円形開口２１の開口内周縁に当接する位置で規制され、これにより、照射方向の鉛直方向に対する傾き角度は、図１に示されるように、照射方向中心軸Ｖと照射方向軸Ｄとの成す角度θの範囲で任意に変更することができる。
【００１７】
灯具３には、図５に示されるように、電源線（リード線）７が接続され、この電源線７は、弾性体４の押さえ部４２の上面にアタッチメント４６により固定される。この電源線７は、弾性体４の係合用ばね部４３及び固定部４１の各側方にある開口の略中間位置を通している。また、弾性体４は、固定部４１が器具本体２に係合固定される。係合用ばね部４３は、同図に示されるように、中心を挟んで対称位置に一対、自然状態で上方から見て接線方向外方に延びるように設けられている。照明器具１を造営材６の埋め込み穴に嵌め込むときは、この係合用ばね部４３及び折り曲げ片部４５を内方に寄せた状態とする。照明器具１を造営材６の埋め込み穴に嵌め込んだ後は、係合用ばね部４３の復元反発力により、図２に示されるように、その先端側の引っ掛かり用凹凸４４が造営材６に食い込むことで、照明器具１が保持される。
【００１８】
本実施形態による照明器具１においては、灯具３の取付けとユニバーサル保持のための弾性体４の押さえ部４２と、器具本体２の取付け穴への係合用ばね部４３とを一体的に設けたので、従来のように別個の部材を用いる場合に比べて器具全体高さを比較的低くできると共に、部品点数が少なくなり組み立てが容易で、構成のコンパクト化、低コスト化が可能となる。そして、造営材６の埋め込み穴が、例えば、φ５０乃至φ１００ｍｍ以下の比較的、小径のものに対応した小型の照明器具を実現できる。また、照射方向の変更操作に際して、２軸で変える必要がなく、照射方向の狙いをつけた操作が感覚で行えるので、操作性も良い。
【００１９】
また、灯具３と器具本体２との隙間を小さくし、かつ、接触面積を比較的多く取れるので、光源の熱を器具本体２の表面に熱伝導で逃がし易い構造とすることができ、ＬＥＤ光源の照明器具に特に有効である。さらにまた、ダウンライト構成の場合、１つの弾性体４でもって、灯具３の押さえ付け保持と、照明器具１の埋め込み穴への固定の機能を奏するので、ネジやカシメ作業が不要となる。従って、部品点数を削減でき、固定のためのスペースを少なくでき、組み立て作業も簡単となる。また、電源線７が、弾性体４の係合用ばね部４３及び固定部４１の各側方にある開口の略中間位置を通り、灯具３の鉛直方向に対する傾動時に弾性体４の各部と干渉することがないようにしているので、照射方向変更の動きがスムーズとなる。
【００２０】
図６は、他の実施形態による照明器具の外観を示す。前述と同部材には同符号を付している。この実施形態においては、灯具３に、その水平軸回りの回転を所定範囲で規制するための突起３４を設け、かつ器具本体２に、突起３４に対応し該突起３４が係合する内面空間２４ａを有する凹部２４を設けている。この突起３４は、灯具３が照射方向中心軸Ｖに向いた状態で、水平面の周外面の少なくとも１ヶ所に設けている。ここでは、突起３４は電源線７のコネクタと兼用としている。また、弾性体４は、先の実施形態の係合用ばね部４３及び引っ掛かり用凹凸４４に変えて、器具本体２への固定部４７にＶ字形状に連続して延びる引っ掛け片４８を設けている。この実施形態においても、電源線７は弾性体４の対向する固定部４７の間の中心付近から導出する。
【００２１】
この実施形態によれば、特別な部品を要することなく、灯具３の水平方向の動きを規制することができ、灯具３に接続された電源線７が捩れ切れするようなことがなくなる。
【００２２】
図７は、図６の実施形態において、突起３４が四角柱状で、灯具３の球中心を通る水平面Ｈより上方に片寄って一対設けられた形態を示している。図８は、同じく図６の実施形態において、突起３４が円柱状で、灯具３の球中心を通る水平面近傍に１つ設けられた形態を示している。
【００２３】
図７及び図８に示した各形態において、灯具３の照射方向を球中心の回りに傾けた状態を図７（ｃ）、図８（ｂ）（ｃ）に示す。前者では、図７（ｃ）に示したように、灯具３を傾けたとき、少なくとも一方の突起３４が凹部２４の内面空間２４ａに係合していれば、水平回転規制が機能するので、照射角の変更角度θ１は比較的大きく取れる。それに対して、後者の突起３４が１つだけの形態では、図８（ｂ）（ｃ）に示したように、灯具３を傾けたとき、突起３４’の内面空間２４ａとの係合が外れない範囲とするため、照射角の変更角度θ２は比較的小さくなる。
【００２４】
図９は、灯具の照射方向を変更する際における凹部２４の内面空間２４ａの寸法Ｗ２と突起３４とのクリアランス関係を示している。図７に示したように突起３４が四角柱状の場合と、球中心を通る水平面より片寄って設けられている場合とでは、内面空間２４ａの寸法Ｗ２は、突起３４の動きに対して十分な余裕を持つように大きく形成される必要がある。一方、図８に示したように突起３４’が円柱状で球中心を通る水平面近傍に設けられている場合は、内面空間２４ａの寸法Ｗ２は、突起３４’の動きに対してそれ程余裕を持って形成される必要はなく、凹部２４の小形化に有利である。なお、図９において、Ｗ１は突起３４の幅寸法を示す。
【００２５】
本発明は、上記実施形態の構成に限られることなく、発明の趣旨を変更しない範囲で種々の変形が可能である。例えば、上記ではダウンライトの場合を示したが、シーリングやペンダント形態の照明器具であっても同様に適用することができる。
また、上記では灯具３の垂直方向に対する傾動角度規制を灯具３の投光開口縁３２ａでもって行う構成を示したが、灯具３の球状形態の上方に突起を設けて、この突起が器具本体２の上方部位と当接することで、傾動角度規制を行う構成であってもよい。また、上記では電源線７を弾性体４の押さえ部４２の上面に固定して張力とめをしているが、可動する灯具３以外であれば、器具本体２等でも構わない。
【００２６】
さらにまた、上記実施形態では、電源線７が、照射方向の変更で可動な灯具３から導出されるため、ある程度可動に構成する必要があるが、そのような電源線可動部を回避するには、低電圧駆動の光源（低電圧の白熱電球やＬＥＤ光源）の場合には、例えば、弾性体４の押さえ部４２に１極の接点を設け、もう１極の接点を灯具３の球体側面から器具本体２に設けるといった構造も有効である。また、図６に示した実施形態では、突起３４と凹部２４とを用いて接点を取る構造も考えられる。
【図面の簡単な説明】
【００２７】
【図１】本発明の実施形態による照明器具の半裁断面図。
【図２】同上による照明器具の上記とは異なった角度での半裁断面図。
【図３】同上による照明器具の外観図。
【図４】同上による照明器具の弾性体の斜視図。
【図５】同上による照明器具の平面図。
【図６】本発明の他の実施形態による照明器具の斜視図。
【図７】（ａ）は図６の実施形態による照明器具の正面図、（ｂ）はその側断面図、（ｃ）は照射方向を変更した状態の側断面図。
【図８】（ａ）は図６の実施形態の変形例による照明器具の正面図、（ｂ）は照射方向を一方側へ変更した状態の側断面図、（ｃ）は照射方向を他方側へ変更した状態の側断面図。
【図９】（ａ）は図７の例での照明器具の部分平面図、（ｂ）は（ａ）のＡ−Ａ線断面図。
【符号の説明】
【００２８】
１  照明器具
２  器具本体
２１  円形開口
２４  凹部
２４ａ  内面空間
３  灯具
３４  突起
４  弾性体
４１，４７  固定部
４２  押さえ部
４３  係合用ばね部
４４  引っ掛かり用凹凸
４８  引っ掛け片
５  ＬＥＤ（光源）
６  造営材
７  電源線
【図１】
2005149790.tif 000003
【図２】
2005149790.tif 000004
【図３】
2005149790.tif 000005
【図４】
2005149790.tif 000006
【図５】
2005149790.tif 000007
【図６】
2005149790.tif 000008
【図７】
2005149790.tif 000009
【図８】
2005149790.tif 000010
【図９】
2005149790.tif 000011